Podtech/llm-jp-corpus-v4-ja_patent huggingface dataset:
(57)【要約】【課題】  成人病の予防には、数多くの食品や薬品を集めて摂取しなければならないがエクストラバージンオリーブオイルを、生活の中で定期的に食することで、成人病予防効果が大きく期待できる。しかしながら食文化の異なる日本では、毎日エクストラバージンオリーブオイルを使用した食事を摂ることは、現実的には不可能である。【解決手段】オリーブの果実から絞られたエクストラバージンオリーブオイル又はオリーブ油をそのままソフトカプセルに入れることによって、毎日いつでも一定量摂ることを可能にした。【選択図】図１
2006257061.tif 000002
【特許請求の範囲】
【請求項１】
オリーブの果実から絞られたエクストラバージンオリーブオイル又はオリーブ油をそのまま飲めるソフトカプセルである。
【請求項２】
そのまま熱処理する調理に使える請求項１記載のソフトカプセル。
【発明の詳細な説明】
【技術分野】
【０００１】  本発明は、成人病予防などに効果を有するオリーブの果実から絞られたエクストラバージンオリーブオイル又はオリーブ油以下（エクストラバージンオリーブオイル）のソフトカプセル化に関するものである。
【背景技術】
【０００２】  エクストラバージンオリーブオイルは、６０００年前から主に地中海地方沿岸に住む人々に広く使われてきた世界で唯一の果実からとれるオイルである。【０００３】  エクストラバージンオリーブオイルは、地中海型食事の中心であり、古代から民間療法のなかで薬として活用されてきた。【０００４】  １９７０年、米ミネソタ大学のキース教授の発表した論文は、エクストラバージンオリーブオイル中心に、食生活を送る地中海沿岸の地域に住む人々に心臓疾患系病が極めて少ないことを実証した。【０００５】  エクストラバージンオリーブオイルの成分は、一価不飽和脂肪酸であるオレイン酸が主体であり、それは不飽和脂肪酸でありながら多価不飽和脂肪酸に比べて酸化されにくい性質がある。また、油脂としての成分の他にも、α−トコフェロール、β−カロチンやポリフェノールのような天然の抗酸化物質が豊富に含まれている。酸化されにくい不飽和脂肪酸であるオレイン酸が成分の主体である上に、天然の多種の抗酸化物を含むことで、エクストラバージンオリーブオイルは動脈硬化を促進させるＬＤＬコレステロールの血中レベルを下げるだけでなく、活性酸素（フリーラジカル）から健康を守ることになる。【０００６】  エクストラバージンオリーブオイルに含まれる脂肪酸は、オレイン酸７０〜７５％、リノール酸１０％、リノレン酸０．８％、その他微量成分ビタミンＡ・Ｂ・Ｅ、葉緑素、カロチン、ポリフェノール、スクワレンなどとなっている。【０００７】  ＦＤＡ（米食品医薬品局）は、２００４年１１月１８、オリーブオイルを含んだ食品には、「冠状動脈系の心臓病になるリスクを減らす」との趣旨のラベルを貼ってもいい、と発表した。ＦＤＡは、毎日少しずつでも、飽和脂肪を不飽和脂肪に切り替えるよう食事に気をつけるだけで、冠状動脈系の心臓病の予防になる。例えば、毎日、大さじ２杯のオリーブオイル（２３グラム）をバターの代わりに使うだけでいい、と説明している。
【発明の開示】
【発明が解決しようとする課題】
【０００８】  成人病の予防及び抗酸化、血液サラサラ効果などを得るためには、数多くの食品や薬品を集めて摂取しなければならないがこれは大変な手間であり難しい。しかしエクストラバージンオリーブオイルを、生活の中で定期的に食することで、それら成人病予防効果が大きく期待できる。しかしながら食文化の異なる日本では、毎日エクストラバージンオリーブオイルを使用した食事を摂ることは、現実的には不可能である。【０００９】  本発明は、このような問題を解決しようとするものであり、エクストラバージンオリーブオイルを手軽に毎日一定の量を摂取することを実現するものである。
【課題を解決するための手段】
【００１０】  そして、本発明は上記目的を達成するために天然のエクストラバージンオリーブオイルをそのままソフトカプセルに入れることによって、毎日いつでも一定量摂ることを可能にした。
【発明の効果】
【００１１】  上述したように、本発明はエクストラバージンオリーブオイルをソフトカプセル化することで、誰にでも簡単に飲めるエクストラバージンオリーブオイルを提供できる。【００１２】  また、ソフトカプセルの溶けやすい特徴を利用し、炒め物などの調理にもそのまま使用することも可能にしている。【００１３】  以下エクストラバージンオリーブオイルを常用することの主な効果を記述する。【００１４】  エクストラバージンオリーブオイルに多く含まれるオレイン酸は、いわゆる悪玉コレステロール値を下げ、善玉コレステロール値を上げて動脈硬化を予防する。またエクストラオリーブバージンオイル中のビタミンＥ、ポリフェノールなどの抗酸化物質も動脈硬化を予防する。したがってエクストラバージンオリーブオイルの常食により狭心症、心筋梗塞、脳梗塞などを防ぐことが可能になる。【００１５】  エクストラバージンオリーブオイルにはリノール酸、リノレン酸、抗酸化物質がバランス良く含まれているため老人性痴呆症や皮膚の老化の予防になる。またオレイン酸が骨からのカルシウム喪失を抑制するため骨粗しょう症の予防にもなる。さらに、最も消化・吸収されやすい油脂であることから、消化器官の機能が低下した高齢者でもビタミン・ミネラルなどの栄養素を容易に吸収できる。【００１６】  糖尿病は膵臓から分泌されるインスリンの作用が不足し、体内で栄養素の利用（代謝）が正常に行われない状態のことで、脳梗塞や心筋梗塞など様々な合併症の原因となる。糖尿病改善の食事療法では、一般に脂肪の総量を減らすことが奨励されているが、最近の研究では、オレイン酸を中心として比較的高いレベルで脂肪を摂るほうが効果的であり、患者にも受け入れられやすいとされている。【００１７】  エクストラバージンオリーブオイルは胃に最も負担をかけない油脂であることが、他の食用油との比較研究によって明らかにされている。また、胃炎および胃・十二指腸潰瘍の改善に効果を発揮するという研究成果も報告されている。朝の空腹時に少量のエクストラバージンオリーブオイルを摂れば慢性便秘の解消に役立つ。【００１８】  オレイン酸は子供の骨格の発育および骨のミネラル化（骨組織へのカルシウムの沈着）を促進する。また、乳児の栄養においてリノール酸とリノレン酸のバランスが崩れると脳組織の発達などに悪影響があるが、エクストラバージンオリーブオイル中の両脂肪酸の構成比は乳児の理想的な栄養食物である母乳に似通っているため、離乳食に安心して使用できる。
【本発明を実施するための最良の形態】
【００１９】  天然のエクストラバージンオリーブオイルをそのままソフトカプセル化する。
【００２０】  ソフトカプセルの製造の際、グリセリン、ゼラチンに水３％程度加えることで、より早く溶け易くする。
【図面の簡単な説明】
【００２１】
【図１】は、本発明のソフトカプセルの横断面図である。
【符号の説明】
【００２２】１、  オリーブの果実から絞られたエクストラバージンオリーブオイル又はオリーブ油
２、  ソフトカプセル（グリセリン、ゼラチン、水）
【図１】
2006257061.tif 000003
(57)【要約】【課題】  クミルアルコールを脱水してα−メチルスチレンを製造する方法であって、低コストで効率的に高いクミルアルコール転化率を得ることができるという特徴を有するα−メチルスチレンの製造方法を提供する。【解決手段】  クミルアルコールを脱水してα−メチルスチレンを製造する方法であって、液相において反応を実施し、反応触媒として比表面積１００ｍ2／ｇ以上、細孔容積が０．８ｍｌ／ｇ以下の活性アルミナを用いるα−メチルスチレンの製造方法。原料であるクミルアルコールとしては、特に制限はないが、たとえば、クメンハイドロパーオキサイドとプロピレンを触媒の存在下に反応させて得られるクミルアルコールを用いることができる。【選択図】      なし【特許請求の範囲】
【請求項１】
クミルアルコールを脱水してα−メチルスチレンを製造する方法であって、液相において反応を実施し、反応触媒として比表面積１００ｍ2／ｇ以上、細孔容積が０．８ｍｌ／ｇ以下の活性アルミナを用いるα−メチルスチレンの製造方法。
【発明の詳細な説明】
【技術分野】
【０００１】
本発明は、α−メチルスチレンの製造方法に関するものである。更に詳しくは、本発明は、クミルアルコールを脱水してα−メチルスチレンを製造する方法であって、低コストで効率的に高いクミルアルコール転化率を得ることができるという特徴を有するα−メチルスチレンの製造方法に関するものである。
【背景技術】
【０００２】
活性アルミナの存在下、クミルアルコールを脱水してα−メチルスチレンを製造する方法は公知である。たとえば、特許文献１には、活性アルミナでアルコールを脱水して、α−オレフィンを製造する方法が開示されている。しかしながら従来の方法においては、高い転化率を得るには、２５０℃〜４００℃の高温を必要とし、低コストで効率的に高いクミルアルコール転化率を得るという観点において、必ずしも満足できるものではなかった。
【０００３】
【特許文献１】国際公開第２００４／０７８３３６−Ａ２
【発明の開示】
【発明が解決しようとする課題】
【０００４】
かかる状況において、本発明が解決しようとする課題は、クミルアルコールを脱水してα−メチルスチレンを製造する方法であって、低コストで効率的に高いクミルアルコール転化率を得ることができるという特徴を有するα−メチルスチレンの製造方法を提供する点にある。
【課題を解決するための手段】
【０００５】
すなわち、本発明は、クミルアルコールを脱水してα−メチルスチレンを製造する方法であって、液相において反応を実施し、反応触媒として比表面積１００ｍ2／ｇ以上、細孔容積が０．８ｍｌ／ｇ以下の活性アルミナを用いるα−メチルスチレンの製造方法に係わるものである。
【発明の効果】
【０００６】
本発明により、クミルアルコールを脱水してα−メチルスチレンを製造する方法であって、低コストで効率的に高いクミルアルコール転化率を得ることができるという特徴を有するα−メチルスチレンの製造方法を提供することができる。
【発明を実施するための最良の形態】
【０００７】
すなわち、本発明は、液相において比表面積１００ｍ2／ｇ以上、細孔容積０．８ｍｌ／g以下の活性アルミナ存在下、クミルアルコ−ルを脱水してα−メチルスチレンの製造方法に係るものである。
【０００８】
原料であるクミルアルコールとしては、特に制限はないが、たとえば、クメンハイドロパーオキサイドとプロピレンを触媒の存在下に反応させて得られるクミルアルコールを用いることができる。
【０００９】
本発明の目的物は、α−メチルスチレンである。α−メチルスチレンは、触媒の存在下に水素との反応によりクメンに変換される。クメンは、酸素との反応によってクメンハイドロパーオキサイドに変換され、プロピレンからプロピレンオキサイドの製造に用いることができる。
【００１０】
本発明においては、触媒として比表面積１００ｍ2／ｇ以上、細孔容積が０．８ｍｌ／ｇ以下の活性アルミナが用いられる。比表面積１００ｍ2／ｇ以上、細孔容積が０．８ｍｌ／ｇ以下の活性アルミナを用いることにより、効率的に高いクミルアルコール転化率を得ることができる。
【００１１】
脱水反応は液相中で実施される。溶媒を用いる場合は、反応体及び生成物に対して実質的に不活性な方が好ましく、たとえばクミルアルコールが脱水、水添して生成するクメンを溶媒として用いられる。
【００１２】
反応温度は一般に１５０℃〜３００℃であるが、１５０〜２５０℃の温度が好ましい。反応温度が低すぎると、クミルアルコールの転化率が低いことがあり、一方反応温度が高すぎるとα−メチルスチレンの選択率が低下する場合がある。
【００１３】
反応圧力は一般に１０〜１００００ｋＰａであることが有利である。
【００１４】
反応型式は、スラリー又は固定床の形の触媒を使用して有利に実施できる。大規模な工業的操作の場合には、固定床を用いるのが好ましい。また、回分法、半連続法、連続法等によって実施できる。
【実施例】
【００１５】
次に本発明を実施例により説明する。
実施例１
ＳＵＳの籠型金網を有する２００ｍｌのＳＵＳ製のオートクレーブに、１４．６重量％のクミルアルコールを含むクメン溶液１００ｇと、籠型金網の中に活性アルミナ（住友化学製、商品名はＮＫ−３２４Ｄ）５．０ｇを仕込んだ。活性アルミナは２〜４ｍｍφの球体、比表面積＝３１２ｍ2／ｇ、細孔容積＝０．６５ｍｌ／ｇであった。
オートクレーブ内のガス相を窒素置換後、溶液を攪拌しながら２００℃まで昇温し、続いて窒素で０．５ＭＰａＧまで加圧した。この時点を反応時間が０時間とし、溶液の温度を２００℃に加熱維持して５時間反応を継続した。結果を表１に示す。
【００１６】
実施例２
比表面積＝３４０ｍ2／ｇ、細孔容積＝０．６７ｍｌ／ｇの活性アルミナ（住友化学製、商品名はＮＫＨＤ−２４）を用いたことと、窒素で０．８ＭＰａＧに加圧したこと以外は実施例１と同様に６時間反応を行った。結果を表１に示す。
【００１７】
実施例３
ＳＵＳの籠型金網を有する２００ｍｌのＳＵＳ製オートクレーブに、２４．９重量％のクミルアルコールを含むクメン溶液１００ｇと、籠型金網の中に活性アルミナ２．０ｇ（住友化学製、商品名はＮＫＨＯ−２４）を仕込んだ。活性アルミナは２〜４ｍｍφの球体、比表面積＝１６０ｍ2／ｇ、細孔容積＝０．６８ｍｌ／ｇであった。
オートクレーブ内のガス相を窒素置換後、溶液を攪拌しながら２３０℃まで昇温し、続いて窒素で１ＭＰａＧに加圧した。この時点を反応時間が０時間とし、溶液の温度を２３０℃に加熱維持して４時間反応を継続した。結果を表１に示す。
【００１８】
実施例４
比表面積＝１５０ｍ2／ｇ、細孔容積＝０．５３ｍｌ／ｇの活性アルミナ（住友化学製、商品名はＫＨＡ−２４）を用いたこと以外は実施例３と同様に２時間反応を行った。結果を表１に示す。
【００１９】
【表１】
2006257022.tif 000002
(57)【要約】【課題】人間の肌組織にとって有用な成分を含む化粧水等を皮膚に付着させ、その上からシートパックを皮膚に貼付し、手によりマッサージをすることによって当該シートパックに染み込んだ化粧水等が肌に溶け込み、皮膚の真皮層に化粧水等の有効成分を直接浸透させ、根本的に肌状態を改善させ、肌の老化を防ぐことができるという使用方法を提供することを課題とする。【解決手段】人間の肌の形状を考慮し、シートパックを肌表面に添付しやすい形状とし、更に当該シートパックを微細な２層構造にすることによって、肌に化粧水等を染み込ませる層と、肌を保護する作用を持つ層に分離したことを特徴とする。【特許請求の範囲】
【請求項１】
化粧水等、人間の皮膚に対して有用な成分を効果的に皮膚の真皮層まで浸透させるためにシートパックを用いるという方法。
【請求項２】
請求項１の効果をもたらすため、シートパックを２層構造とする方法。
【請求項３】
シートパックの下層をシルク、セラミド１、セラミド３、セラミド６ＩＩ等の有効成分により形成し、シートパックの上層を米、小麦、トウモロコシ等のイネ科植物に多く含まれるヘミセルロースの主成分であるアラビノキシランを主原料とする方法。
【請求項４】
請求項３のシートパックを肌に添付し、マッサージをすると化粧水等の有効成分を含んだ下層が溶解し、上層が皮膚表面で皮膜を形成し、下層の有効成分を密閉し、有効成分の皮膚への浸透効果を高める方法。
【発明の詳細な説明】
【技術分野】
【０００１】  本発明は、皮膚の老化防止等の美容目的をもって使用するシートパックの構造、及び利用方法に関する。
【背景技術】
【０００２】  従来の化粧用シートパックは、肌に貼付し、一定時間経過後は肌から剥離するものであった（特許文献１乃至４参照）。【０００３】  その結果、化粧用シートパック使用者は、当該シートを肌から一度剥離した後に化粧を施すといった面倒を煩い、更に従来の化粧用シートパックの場合、化粧水等に含まれる有効成分の大半が大気の熱で蒸発する等してしまい、その効果は使用環境によりばらつきが多く、化粧水等の有効作用を最大限に活用しきれているとは言えなかった。
【特許文献１】特許公開２０００−１４５８７号公報
【特許文献２】特許公開平１１−２２８３４４号公報
【特許文献３】特許公開２００１−２６１５２７号公報
【特許文献４】特許公開２００１−１７０１０４号公報
【発明の開示】
【発明が解決しようとする課題】
【０００４】  本発明は、上記のような従来の化粧用シートパックの使用方法、及び構造が有していた問題を解決しようとするものであり、シートパックに染みこませた有効成分を効果的に真皮層に浸透させることを目的とするものである。
【課題を解決するための手段】
【０００５】  有効成分を効果的に肌に染みこませる為に、シートパックの薄さを４０ミクロンとし、１枚のシートを２層構造とした。【０００６】  シートの上層を米、小麦、トウモロコシ等のイネ科の植物に多く含まれる食物繊維であるヘミセルロースを主成分としたアラビノキシランで構成し、下層をシルク粉末、セラミド１、セラミド２、セラミド６ＩＩ、フィトスフィンゴシン、カルボマー、キサンタンガムといった有効成分を主原料とし構成する。【０００７】  洗顔後に、化粧水等を肌に塗布し、その上から当該シートを添付し、指や手で貼付個所をマッサージすると、上記各種有効成分を含んだシート下層が溶解し、塗布した化粧水と融合して肌へ浸透を始める。
【発明の効果】
【０００８】  シートの上層の主成分であるアラビノキシランには肌の保湿効果があり、下層が溶解した後、肌の表面で皮膜を形成し、上層が下層の有効成分を密閉することによって乾燥等を防ぎ、無駄なく肌の真皮層まで浸透させることができる。【０００９】  シート下層の有効成分として配合されているセラミドは、肌の角質層の細胞間に存在する物質であり、細胞と細胞を繋ぐ作用があり、セラミドが肌に豊富に吸収されると細胞を構成する成分でもあるコラーゲンやエラスチンを安定化させ、肌のアンチエイジング効果が期待でき、更にメラニン色素を抑え美白効果も期待できる。
【発明を実施するための最良の形態】
【００１０】  この発明の好ましい実施形態として、洗顔後の清潔な状態の顔面に化粧水等をよく塗布させ、その上からシートパックを眼裂下部の皮膚に付着させ、よくマッサージをする使用形態が挙げられる。【００１１】  眼裂下部の皮膚は、顔面の皮膚の中でも最も薄い個所の一つであるため、シートの有効成分や化粧水の有効成分が浸透し、老化防止効果等が現れやすいため、この使用形態を挙げた。
【実施例】
【００１２】  人間の皮膚は、太い繊維を形成して組織構造を維持するＩ型（繊維性コラーゲン）と細い繊維を形成して柔軟性を有するＩＩＩ型コラーゲン（胎児性コラーゲン）が存在しているが、この２つの割合が加齢に伴って変化するといわれ、平均して２０歳を過ぎると皮膚を外部の刺激から保護するＩＩＩ型コラーゲンが減少し、皮膚硬化し始め、所謂「老化現象」とよばれる現象が現れる。【００１３】  そこで、２０歳から４０歳台の女性数名にグルタミン酸やシスチンを含有し、ヒト真皮繊維芽細胞と親和性の高い、加水分解卵角膜エキス、及びその他の有効成分としてヒアルロン酸、ブチレングリコールといった保湿剤を含む化粧水を眼裂下部に塗布し、シートパックを使用してもらったところ、使用後約一月で肌の張りが改善し、美白効果もあるとの回答を得た。
【産業上の利用可能性】
【００１４】  化粧品業界においてアンチエイジング効果のある商品開発は、各社とも至上命題とされ、当業者が本件発明におけるシートパックの使用方法をそれぞれにおいて利用することによって、化粧品業者各社製品の美容効果が劇的に高まることが予想され、化粧品毎の美容効果の相違も現在より更に明確になることが予想される。【００１５】  上記により、化粧品業界に対する消費者意識は向上し、それに比例して化粧品業者各社も製品開発に対する姿勢、及び意欲、モラルが高まり、化粧品業界全体の産業の発達に寄与することが可能となり、その利用可能性は高い。
(57)【要約】      （修正有）【課題】窓ガラスの一部を破壊されてもクレセント錠を開けられることを防ぎ、取付けネジを緩めてクレセント錠自体を外すことも防ぐ。【解決手段】クレセント錠２をそのまま取り替えることなしに、クレセント錠を覆い被せる形で、クレセント錠用カバー付き鍵１を取付けることにより、ガラスを割られてもクレセント錠をはずしたり取り外したりすることを防ぎ、ガラス全面を破壊しない限り進入を困難にする。さらに必要な場合は、クレセント錠用カバー付き鍵に加えてガラス窓の一部または全面に格子を取付けることにより人の侵入を防ぐ。【選択図】図１
2006257742.tif 000002
【特許請求の範囲】
【請求項１】
アルミサッシ製ガラス窓のクレセント錠に、覆い被せる形のカバーを付けたかたちで鍵を取付け、クレセント錠を廻して開けることができないようにする、汎用のクレセント錠にも取付けられ、汎用の南京鍵を使用可能で安価である。さらにこのクレセント錠用カバー付き鍵に加えて、ガラスを破壊してもガラスを覆うような格子や板を取付け、ガラスを破壊しても人の進入を防ぐことが可能であることを特徴とする。
【発明の詳細な説明】
【技術分野】
【０００１】
本発明は窓ガラスに取付けられているクレセント錠において、ガラスを破壊されても、クレセント錠を開けられないようにするため、クレセントにカバー付き鍵を取付ける、さらにそのカバー付き鍵に格子や板をつけて、ガラスを破壊しても人の進入を防ぐ防犯具に関するものである。
【背景技術】
【０００２】
従来、クレセント錠は内部からロックするために取付けられており、窓ガラスの一部を破壊してロックを簡単にはずすことができ、窓を開けて進入されて盗難にあうことが数多く報告されている、対策としてクレセント錠に鍵を付加したものがあるが、多くはクレセントを取付けるネジを緩めるとクレセント錠自体が外れ、簡単に窓を開けられてしまう、ネジが緩められないものもあるが、構造が複雑で簡単には取付け出来ず高価である、また窓の上部に別な鍵を取付けられている場合があるが、窓ガラスを割らないといけない面積が増えるだけであるなど、根本的な解決にはなっていなかった
【０００３】
この改善策として、クレセント錠を覆いかぶせるかたちで本発明である「クレセント錠用カバー付き鍵」を取付け、クレセント錠を取付けているネジを外すことが出来なくする、さらに必要な場合は、クレセント錠用カバー付き鍵に格子を取付けて、窓ガラスを破壊しても人の進入を防ぐことができる。
【０００４】
【特許文献１】特開2004-316132公報
【発明の開示】
【発明が解決しようとする課題】
【０００５】
解決しようとする問題点は、ガラスを割られてもクレセント錠を鍵が付いていて廻すことが出来ない場合、クレセント錠を取付けているネジを廻して簡単にクレセント錠を取外せることである。
【０００６】
鍵つきクレセント錠の中には、クレセント錠取付けネジを表に出さないような構造のものもあるが、構造が複雑で高価である。
【０００７】
このため、クレセント錠が有効でないと判断して、窓の上部などに別な鍵を取付ける場合があるが、窓ガラスの破壊面積が増えるだけで、根本的な解決にはなっていない。
【課題を解決するための手段】
【０００８】
本発明は、汎用のクレセント錠に覆いかぶせるような金属のカバーをつけ、一例としてクレセント錠の回転部分の上と下にピンを差し込み、ピンの両端はカバーの穴に差し込まれ、ピンが抜けないように片側の頭部が大きくなっている、さらにピンの反対側はネジ付きにしてもよい、さらにピンが抜けないようにカバーを被せ、その下部に南京錠などで鍵をかける、なおカバーの裏面はピンの部分は当たらないようにくりぬいてある、また鍵は専用の物でもよい、このことによりクレセント錠のロックを回転させ開けたり、クレセント錠の取付けネジを廻して外すことが出来ないようにする。
【０００９】
さらに必要がある場合は、クレセント錠に格子や板をガラス窓の一部または全面に付加し、ガラスを破壊しても人の侵入が防ぐ構造とする。
【発明の効果】
【００１０】
本発明のクレセント錠用カバー付き鍵は、図１の通りクレセント錠を取り替えることなしに、クレセント錠を覆いかぶせるかたちで取付けることができる。
【００１１】
このことにより、クレセント錠を廻して開けることは出来ないだけでなく、クレセント錠を取付けているネジを廻して取外すことも出来ない。
【００１２】
クレセント錠用カバー付き鍵の、鍵は汎用の南京錠が使用できる、このため安価で簡単に窓ガラス破壊対策ができる、または専用の鍵を取付けてもよい。
【００１３】
さらに必要な場合は、クレセント錠用カバー付き鍵に格子などを取付け、人の侵入を防ぐことができる。
【発明を実施するための最良の形態】
【００１４】
窓ガラスにはクレセント錠が取付けられて製造販売されており、これを取り替えることなしに、クレセント錠を覆いかぶせるかたちでクレセント錠用カバー付き鍵を、図１および図２のように取付ける。
【００１５】
安価で簡単に窓ガラス破壊による人の進入を防ぐことを実現した。
【００１６】
さらに必要がある場合は、クレセント錠に格子や板をガラス窓の一部または全面に付加し、ガラスを破壊しても人の侵入を防ぐことができる。
【実施例１】
【００１７】
図１は本発明のクレセント錠用カバー付き鍵の、鍵の部分を除いて、内部の破線で示したクレセント錠を含めた図、図２はクレセント錠用カバー付き鍵の、鍵の部分を含めた一実施構造を示す図である。
【００１８】
第１図クレセント錠用カバー付き鍵において、破線で示したクレセント錠を覆いかぶせる形で、クレセント錠用カバー付き鍵が取付けられている、クレセント錠を上下からはさむ形でピンが差し込まれ、クレセント錠用カバー付き鍵を固定すると共に、クレセント錠を開けることと、クレセント錠の取付けネジを外すことが出来ないようにしている。
【００１９】
第２図のクレセント錠用カバー付き鍵は、ピンを抜けなくする為に、ピンの屋内側の頭部はピンの径より大きくしてあるが、さらにピンはねじ込みとしてもよい、さらにピンを抜けなくする為に、ピンを覆いかぶせるカバーを取付け、その下部に南京錠で鍵をかける、または専用の鍵を取付けることもできる。
【図面の簡単な説明】
【００２０】
【図１】クレセント錠用カバー付き鍵の実施方法を示した説明図である。（実施例１）  本発明のクレセント錠用カバー付き鍵の、鍵を除き破線でクレセント錠を含めた一実施例を示す図である。
【図２】クレセント錠用カバー付き鍵の実施方法を示した説明図である。（実施例１）  本発明のクレセント錠用カバー付き鍵の、内部のピン部分を除いた一実施例を示す図である。
【符号の説明】
【００２１】
１：クレセント錠用カバー付き鍵  
２：クレセント錠  
３：クレセント錠用カバー付き鍵のピン  
４：クレセント錠の取付けネジ  
５：南京錠  
【図１】
2006257742.tif 000003
【図２】
2006257742.tif 000004
(57)【要約】【課題】  地水道管内の熱を利用する道路の融雪工法に関するものであって、地下水を利用する従来の融雪に比較して安価で有利である。【解決手段】  発明者は熱媒体として不凍液を用い、採熱管部は下水道管の管路の長手方向に対して、数条に折返して添接させて接触部を長く採用して熱交換を図り、全体を断熱材で覆い、放熱管部は管を蛇行して道路面下に埋設し、一方端にヒートポンプＰを設けて温められた不凍液を放熱管部に循環流入させる構成とする。【選択図】  図１
2006257786.tif 000002
【特許請求の範囲】
【請求項１】
道路面下の放熱管（３）に連通する採熱管（２）を下水道管（１）の長手方向外周に添接して数条繰返して設けて全体を断熱材で覆い、該採熱管（２）、放熱管（３）内に不凍液を充填し、採熱管（２）の一方にヒートポンプＰを設けて不凍液の循環を図り、放熱管（３）は道路面下に蛇行して埋設することを特徴とした下水道を利用した道路の無散水融雪工法。
【発明の詳細な説明】
【技術分野】
【０００１】
本発明は、下水道の熱を利用した道路特に歩道や駐車場などの無散水の融雪工法に関する。
【背景技術】
【０００２】
従来道路の融雪方式としては地下水を汲み揚げて路面に散水する散水方式のもの、又は地下水を汲み揚げて路面下に埋設した放熱管に循環させる無散水方式のもの、さらには路面下に電熱線を埋設するもの等多々開発されている。
【０００３】
また最近では下水道が発達し、この下水道の熱を利用した融雪装置も開発されている。      
【特許文献１】特開２００２−２８５５０１号公報
【特許文献２】実登３０９３２０８号公報
【発明の開示】
【発明が解決しようとする課題】
【０００４】
冬期雪道では既存のマンホール部附近の消雪が早いことで知られるように、下水道の温度は常に地下水と同じように１３℃程度あり、この熱を利用した融雪方法としては、一般にフジタ式として知られている下水道管内の空気を利用して道路面下に送気する方法、又はクボタ式と呼ばれている下水道管内の下水を直に道路面下の循環パイプに流す方式のも
のが知られている。
【０００５】
しかし、前記のように下水道管内の空気を利用する方法は、媒体が気体のため熱伝導率が低く、効率が悪いという欠点を有し、また一方下水を直に流す方式のものは下水中に固形物が多く、このため循環パイプの径を大径にする必要があって施工が大掛りとなって経費がかさむという難点があった。
【課題を解決するための手段】
【０００６】
発明者は、この下水道の熱を利用する融雪構造について鋭意研究を重ねた結果、前記特許文献２に記載されている発明を開発した。本発明は、下水道管の側面に採熱管を添設し、この採熱管と道路面下に埋設する放熱管とを連通させ、この管内に不凍液を充填してヒートポンプを介して不凍液を循環させるものであって、断熱材によって覆われた下水道管の蓄熱性と熱伝導性の良い不凍液を媒体として用いることによって厳冬期路面が氷点下になっても凍結するおそれもなく、しかも蓄熱性がよいため放熱管の管路が長距離になっても温度の低下が少なく路面の融雪効果が高められる。
【発明の効果】
【０００７】
本発明の道路融雪工法は、下水道管から採熱して温められた不凍液を道路面下に循環させるものであって、熱伝導の媒体として不凍液を用いることによって効率をよくするもので、断熱材で覆われていることによって下水道管の熱の放出を少くし、融雪効果を高め、しかも既存の材料や施設を有効に利用しうる。そして下水管内には障害物が何もないため
維持管理に優れていて従来からの融雪道路に比較して施工及び維持管理の点で卓越した作用効果を奏する。
【実施例】
【０００８】
添付図面により本発明の実施例を説明すると、図１は本発明の下水道管（１）と採熱管（２）との構成を示す断面図であり、下水道管（１）と採熱管（２）は、地中に掘り下げた溝内に断熱材に覆われて配設されている。下水道管を埋設する断熱材としては、腐喰に強い発泡スチロール材や砂等から形成される。
【０００９】
図２は、図１と同様下水道管（１）と採熱管（２）との構成を示す側面図であり、図示されている点線は断熱層を示している。図示されているように、本発明の採熱管（２）は下水道管（１）の長手方向の外側に添接して設けてあって、しかも数条繰返して設けるものであって、図示していないが、この下水道管（１）と採熱管（２）との間には適所に採熱管（２）と下水道管（１）との接触を考えてタガのような結束帯を設けることが熱交換の点で望ましい。
【００１０】
図３は道路面下に埋設する放熱管（３）の平面図であって、この放熱管（３）は狭いピッチで蛇行して形成され、一方はポンプＰを設けて採熱管（２）に接続して、下水道管（１）によって温められた不凍液をポンプＰによって揚水し、他端から採熱管（２）に戻す構成とするものである。
【００１１】
このように本発明の採熱管（２）は下水道管（１）の長手方向の側面に数条繰返して添接するため下水道管（１）と接触する距離が長く、全体に断熱材で覆われているため熱交換の効率がよく、しかも断熱材で覆われていることによって下水道管の熱の放出を少くし、媒体として不凍液を使用することによって厳冬期に道路面が氷点下に降っても循環液が
凍結することがなく、不凍液が蓄熱性があるため道路面の融雪効果を妨げることがない。
【産業上の利用可能性】
【００１２】
上述のように本発明の無散水道路融雪工法は下水道の熱を利用するため、施工に係る費用が安価ですみ、効率よく融雪が可能なため広く利用できる。
【図面の簡単な説明】
【００１３】
【図１】断熱層と下水道管と採熱管との構成を示す断面図
【図２】下水道管と採熱管との構成を示す側面図
【図３】放熱管の平面図
【符号の説明】
【００１４】
１  下水道管
２  採熱管
３  放熱管
Ｐ  ヒートポンプ
【図１】
2006257786.tif 000003
【図２】
2006257786.tif 000004
【図３】
2006257786.tif 000005
(57)【要約】【課題】  家庭用の浴槽の湯を利用した無散水の路面の融雪工法を提供する。【解決手段】  この発明は、給湯ボイラーで浴槽の湯を沸かし、湯をポンプを介して路面に敷設した放熱管内に循環させて融雪する工法であって、温度が低下した湯は追い焚きで加熱することができる。また屋外には降雪感知器を設けることによって自動運転を可能にすることができる。【選択図】  図１
2006257789.tif 000002
【特許請求の範囲】
【請求項１】
給湯ボイラーで湯を沸かし、沸かした湯を舗装内に敷設した放熱管内に循環させて雪を融かし、循環して温度が低下したときは追い焚きで加熱保温し、降雪感知器を設けて給湯ボイラーに連動させることを特徴とした風呂の湯を利用した融雪工法。
【発明の詳細な説明】
【技術分野】
【０００１】
本発明は、家庭用の浴槽の湯を利用した無散水融雪工法に関する。
【背景技術】
【０００２】
従来道路の融雪工法としては、地下水を汲み揚げて道路面に散水する散水方式のものが古くから雪国地方で採用されている。又地下水を汲み揚げて歩道等の路面下に埋設した循環式の放熱管に流入させる無散水方式のもの、更には路面下に電熱線を埋設する等融雪方式においては数多くの開発がなされている。
【特許文献１】特開２００２−３８４４２号公報
【発明の開示】
【発明が解決しようとする課題】
【０００３】
従来の無散水方式の道路の融雪工法では地下水を利用するため井戸掘という大掛りな作業が必要となるため工費が膨大となり、又小さな面積の融雪では電熱線を利用する場合消費電力が大きいという欠点があった。
【課題を解決するための手段】
【０００４】
発明者はこの点に鑑み鋭意研究を続けた結果本発明に到達したものであって、本発明は、家庭用の給湯ボイラーで浴槽の湯を沸かし、沸かした湯を浴槽からポンプを介して舗装路面に敷設した放熱管内に循環させて融雪する工法であって、温度が低下した湯は追い焚きで加熱することができる。また屋外に降雪感知器を設けることによって自動運転を可能
にすることができる。又浴槽は通常の入浴設備として使用ができる。
【発明の効果】
【０００５】
本発明は、家庭用の風呂を少し改良することによって、浴槽の湯を熱源とし、埋設した放熱管によって、小さな面積例えば玄関先や数台の駐車場の融雪に適していて、各家庭で簡単に設置することができるため本発明の利用価値は大きくその効果は顕著である。
【実施例】
【０００６】
添付図面は本発明の風呂の湯を利用した無散水融雪工法のシステムを表わす実施例図であって、（１）は給湯ボイラー、（２）は風呂の浴槽を示している。この浴槽は一般家庭用の浴槽を使用している。（３）は循環ポンプである。（４）は融雪用の放熱管であって、蛇行して舗装面下に埋設されていてポンプ（３）を介して循環している。
【０００７】
又符号（５）は給油タンクである。この給油タンク（５）は熱源であるため都市ガス等の場合もある。そして屋外には降雪感知装置であって、ボイラー（１）と連動していて、降雪があり気温が下がった場合にボイラーを自動的に作動させる。
【０００８】
本発明の融雪方式は風呂の湯を利用するため家庭の玄関先や２〜３台の駐車場のような小さな面積のような場所での融雪に適していて、放熱管（４）の部分の接続を外すことによって落雪や排雪部分の融雪にも利用できる。
【産業上の利用可能性】
【０００９】
上述のように本発明の無散水融雪工法は、媒体として風呂の湯を利用するため装置が簡単であり、各家庭で安価に施工できるためその利用可能性は大きい。
【図面の簡単な説明】
【００１０】
【図１】本発明の無散水融雪工法の実施例図
【符号の説明】
【００１１】
１  給湯ボイラー
２  浴槽
３  循環ポンプ
４  給湯タンク又は燃料ガス
５  降雪感知装置
【図１】
2006257789.tif 000003
(57)【要約】      （修正有）【課題】  入浴時に、二の腕や上半身の贅肉のたるみや、肩こりを取る道具としての水かき付き運動手袋を提供する。【解決手段】  お湯の中で運動する事により、新陳代謝を助け、脂肪の燃焼を促進させリハビリ、筋力トレーニング利用したり、またプールにおいては水中エアロビクス、水泳に利用することのできるようカエルなどの生物の足を模した水かき付き手袋で、水の抵抗を利用する事を特徴とする。また乾燥させるため紐や吸盤をとりつけつるすことができるようにした。【選択図】図１
2006257613.tif 000002
【特許請求の範囲】
【請求項１】
ゴムやスポンジやウェットスーツなどの生地から成る、カエルや水鳥の足などを模した、水かき付きを持つ事特徴とする手袋。
【請求項２】
リハビリや筋力トレーニングなど水中で水の負荷を利用するための水かきを有する手袋。
【請求項３】
本発明の手袋を装着するてめに、口の部位を広くとってあるが、マジックテープなどのバンドや紐などで口ん部位を絞りぬける事を防止する装置を有する手袋。
【請求項４】
本発明の手袋に、紐など輪や吸盤をはり、吊るし乾かす装置を有する手袋。
【請求項５】
本発明の水かき付き手袋を着用して、プールなど、水中エアロビクスや水泳などに利用する事により、より大きな水の抵抗を生み出し効果的な運動をする事ができる。
【請求項６】
本発明の水かき付き手袋は、カエルや水鳥などの水かきを有する動物の足を模している事により、小さな子供に興味を持たせ水中での遊戯や水に親しませる事を容易する。
【発明の詳細な説明】
【技術分野】
【０００１】本発明は、バスタブでの入浴の際に、二の腕や大胸筋を鍛え、贅肉のたるみを取ったり、肩こり、腕のリハビリをするための水かき付き手袋に関するものである。
【背景技術】
【０００２】従来、ダンベルやバネ付きまたは、油圧による運動機具はあった。
【発明の開示】
【発明が解決しようとする課題】
【０００３】それには次のような問題点があった。
イ）運動機具が高価であったり、置き場所に困ったりしていた。
ロ）ダンベルやバネ付き運動機具は足に落としたり、指を挟んだり危険なものであった。また、バネや動きによって、筋肉や筋を傷める恐れがあった。
本発明は、以上の問題を解決するためのものです。
【課題を解決するための手段】
【０００４】ゴム製品やウェットスーツの生地、スポンジ生地製の手袋の指の間に水かきを設けた。以上を特徴とする運道具である。
【発明の効果】
【０００５】お湯の中で、水かきの付いた手袋を装着し運動する事で、水の負荷により、安全に、短時間に脂肪を燃焼する効果が期待できる。
【発明を実施するための最後の形態】
【０００６】以下、本発明の実施の形態について説明する。
イ）ゴム、スポンジ、ウェットスーツ生地の手袋の指の間に水かきを設ける。
ロ）カエル、水鳥などの、水かきのある生物の足を模す事とする。
本発明は、以上の構成よりなっている。
これを試用する時は、湯船にお湯を張り、入浴しながら、水かき付き手袋を装着した腕を伸ばし胸の前で交差させたり、腕を伸ばしたまま、体の前後の水をかく運動を数十回続ける。
【図面の簡単な説明】
【０００７】
【図１】本発明の使用状態を示す斜面図
【符号の説明】
【０００８】１．ゴム、スポンジ、ウェットスーツの生地
２．縫い目
３．吊るし紐
４．吸盤
【図１】
2006257613.tif 000003
(57)【要約】【課題】建物の制振と制震の両方を簡素でコンパクトな構造により実現することができるようにする。【解決手段】土台３の上板３ａに上下方向に貫通する通孔４が設けられると共に、該上板３ａの下面側に前記通孔４よりも平面サイズの大きい厚板５が設置され、該厚板５と柱１とが通孔４を通じて連結され、厚板５と土台上板３ａとの間に制振用の粘性材料又は粘弾性材料７が介設され、かつ、土台上板３ａが柱１に先行して降伏し制震作用を行うようになされている。【選択図】      図１
2006257687.tif 000002
【特許請求の範囲】
【請求項１】
土台の上板に上下方向に貫通する通孔が設けられると共に、該上板の下面側に前記通孔よりも平面サイズの大きい抜止め材が配置され、該抜止め材と柱とが通孔を通じて連結され、
抜止め材と土台上板との間に制振用の粘性材料又は粘弾性材料が介設され、かつ、
抜止め材と土台上板のいずれか一方又は両方が、柱に先行して降伏し、制震作用を行うようになされていることを特徴とする制振−制震柱脚構造。
【発明の詳細な説明】
【技術分野】
【０００１】
本発明は、制振−制震柱脚構造に関する。
【背景技術】
【０００２】
大地震のような大きな震動に対して建物を制震するための技術は、従来より種々提供されているし、また、交通振動等の小さい振動に対して建物を制振するための技術も、従来より種々提供されている。
【発明の開示】
【発明が解決しようとする課題】
【０００３】
しかしながら、制振と制震の両方を簡素でコンパクトな構造により実現することのできる制震−制震技術については、未だ、提供されている事実を見い出すことができない。
【０００４】
本発明は、かかる技術背景において、建物の制振と制震の両方を簡素でコンパクトな構造により実現することができる構造を提供することを課題とする。
【課題を解決するための手段】
【０００５】
上記の課題は、土台の上板に上下方向に貫通する通孔が設けられると共に、該上板の下面側に前記通孔よりも平面サイズの大きい抜止め材が配置され、該抜止め材と柱とが通孔を通じて連結され、
抜止め材と土台上板との間に制振用の粘性材料又は粘弾性材料が介設され、かつ、
抜止め材と土台上板のいずれか一方又は両方が、柱に先行して降伏し、制震作用を行うようになされていることを特徴とする制振−制震柱脚構造によって解決される。
【０００６】
この構造では、交通振動等の小さい振動に対しては、抜止め材と土台上板とが接近離反を行う際の粘性材料又は粘弾性材料の変形によってその振動を制振し、また、大地震のような大きな震動に対しては、抜止め材と土台上板のいずれか一方又は両方が柱に先行して降伏し、その震動を制震する。
【０００７】
そして、制振のために用いられている抜止め材と、粘性材料又は粘弾性材料と、土台上板のうち、抜止め材及び／又は土台上板を制震のための部材として併用した構造としているから、制振と制震の両方を簡素な構造で実現することができる。しかも、制震−制震構造部として、上記のような柱脚部組込み態様のものを採用することで、制震−制震構造部を建物にコンパクトに組み込むことができる。
【発明の効果】
【０００８】
本発明は、以上のとおりのものであるから、建物の制振と制震の両方を簡素でコンパクトな構造により実現することができる。
【発明を実施するための最良の形態】
【０００９】
次に、本発明の実施最良形態を図面に基づいて説明する。
【００１０】
図１に示す実施形態の制振−制震柱脚構造において、１は鋼製の柱、２は基礎、３は土台で、土台３は、柱１を連結する上板３ａを備えている。そして土台上板３ａには、その面内に上下方向に貫通する通孔４が設けられ、土台上板３ａの下面側に通孔４よりも平面サイズの大きい抜止め材として鋼製の厚板５が設置され、該厚板５と柱１とが通孔４を通じて脚６で連結され、厚板５と土台上板３ａとの間に制振用の粘性材料又は粘弾性材料７が介設されている。また、土台上板は、例えば極低降伏点鋼などからなっていて、柱１に大きな抜き力や圧縮力等が作用すると、柱１に先行して降伏し、塑性化してエネルギーを吸収することによって制震作用を行うようになされている。
【００１１】
上記の制振−制震柱脚構造では、図２（イ）に示すように、交通振動等の小さい振動に対しては、厚板５と土台上板３ａとが接近離反を行うことによる粘性材料又は粘弾性材料７の変形によってその振動を制振し、また、図２（ハ）に示すように、大地震のような大きな震動に対しては、土台上板３ａが柱１に先行して降伏し、その震動を制震する。
【００１２】
そして、厚板５と土台上板３ａとの間の粘性材料又は粘弾性材料７が完全ないしはほぼ完全に潰れて厚板５が土台上板３ａに当接するが、土台上板３ａを降伏させない範囲の振動ないしは震動に対しては、図２（ロ）に示すように、柱脚部の剛性が高くなり、そのような振動ないしは震動に抵抗するようになされている。
【００１３】
上記の制振−制震柱脚構造によれば、制振のために用いられている厚板５と、粘性材料又は粘弾性材料７と、土台上板３ａのうち、土台上板３ａを制震のための部材として用いた構造としているから、制振と制震の両方を簡素な構造で実現することができ、しかも、それを柱脚部に組み込む構造としているから制震−制震構造部を建物にコンパクトに組み込むことができる。しかも、大地震など万一の場合に交換すべき部品は、土台上板３ａないしは土台３、及び、粘性材料又は粘弾性材料７であり、交換する部品が明確で、対応が容易である。
【００１４】
以上に、本発明の実施形態を示したが、本発明はこれに限られるものではなく、発明思想を逸脱しない範囲で各種の変更が可能である。例えば、上記の実施形態では、土台上板３ａが柱１に先行して降伏するようにした場合を示したが、抜止め材が柱に先行して降伏するようにしてもよいし、抜止め材と土台上板の両方が柱に先行して降伏するようにしてもよい。
【００１５】
また、上記の実施形態では、土台３がピース状のものからなっている場合を示したが、上板部を備えるものであれば、長物の土台であってもよく、その場合は、抜止め材の側が柱に先行して降伏するようにするとよい。
【００１６】
更に、本発明においていう「柱」の語は、縦枠を備えた外壁パネルフレーム等を含む意味において解釈すべきもので、本来の柱に限られるものではなく、また、柱や土台、抜止め材の材質についても制限はない。
【図面の簡単な説明】
【００１７】
【図１】図（イ）は実施形態の制振−制震柱脚構造を示す断面正面図、図（ロ）は要部拡大断面正面図、図（ハ）は柱と抜止め材としての厚板との関係を示す斜視図である。
【図２】図（イ）〜図（ハ）は作動状態を示す要部断面正面図である。
【符号の説明】
【００１８】
１…柱
３…土台
３ａ…土台上板
４…通孔
５…厚板（抜止め材）
７…粘性材料又は粘弾性材料
【図１】
2006257687.tif 000003
【図２】
2006257687.tif 000004
(57)【要約】【課題】ヘッドライトの使用時や近距離での、仕事などの様々な場面で、ツバが、固定式の従来の帽子では、照射の妨げになったり、帽子全体で移動するしかなかったので、何か、だらしなさを、感じました。又、色やデザインの変更も、帽子全体の買い換えしかなく、汚れた場合も、帽子全体を、洗濯するしかなかったが、この様な事を、解消する為、分離着脱式自在帽子を、提供する。【解決手段】帽子全体を分離し、面ファスナーなどの素材で、合体させる事により、個人の用途と、好みに対応出来ますし、各パーツごとの洗濯や、各パーツだけの、買い換えで、オリジナル帽子の着用が、出来るようにする。【選択図】図１
2006257608.tif 000002
【特許請求の範囲】
【請求項１】
帽子全体を頭部、ツバ部、固定用バンド、頭髪接地部と分離し各部に面ファスナーを使用する事により、利用状況に応じて、様々な形状、位置、選択を自由自在にした帽子。
【発明の詳細な説明】
【技術分野】
【０００１】本発明は、帽子のパーツを分離合体させる事により、帽子全体を、個人の用途、好みにあわせて、ツバの位置、形状、材質、色の組み合わせなどを、簡単に変えられるようにした帽子である。
【背景技術】
【０００２】従来の帽子では、ツバを移動するには、帽子全体の移動するしかなく、色や材質、形状を変えるには、帽子全体を買い換えるしかなかった。
【発明の開示】
【発明が解決しようとする課題】
【０００３】ヘッドライトの使用時や、近距離での仕事などの、様々な場面で、ツバが固定式の従来の帽子は、照射の妨げになったり、帽子全体の移動するしかなかったので、ロゴマークや社名も後などに、隠れてしまい、何かだらしなさを、感じられました。又、色やデザインの変更、汚れた場合は、帽子全体を買い換え、洗濯するしかなかったが、本発明は、この課題を解消する為になされたものである。
【課題を解決するための手段】
【０００４】帽子全体を各パーツごとに分離し面ファスナーなどの素材で、合体させる事により、個人の用途、好みに対応出来ます。又、パーツごとの洗濯や各パーツだけの買い換えだけで、個人の用途にあったオリジナル帽子の着用が、出来るようになります。
【発明を実施するための最良の形態】
【０００５】以下、本発明の実施の形態について説明する。
（イ）．図３−１のツバ部は、図３−３頭部との接地面には、面ファスナーフック面を使用し、その他は、面ファスナーループ面を使用。又、頭部との接地面の反対側には、図３−２固定用バンドを通して使用する為、格子状にバンド通しを用いる。
（ロ）．図３−２の固定用バンドには、ゴムバンドを使用し、図３−１ツバ部の移動を容易にし、図３−３頭部との取付には、ホック（メス側）を用い、取付部は、不伸縮性の生地を用いる。
（ハ）．図３−３の頭部には両面に面ファスナーループ面を使用し、一部サイズ調整用として、かぶせしろを設け、合わせ部には、面ファスナーフック面を使用し、図３−２固定用バンドとの取付用として、ホック（オス側）を取付。
（ニ）．図３−４の頭髪接地部には、表面は、汗や油を吸い取り、又、通気性、肌触りの良い生地を用いる。裏面には、図３−３頭部との取付用として一部面ファスナーフック面用いて取付。
【発明の効果】
【０００６】帽子全体を、分離合体出来る事により、スピーディーに、今まで出来なかった、ツバの位置変更が可能となり、照射などの妨げにならず、又、部位変更により、個人の様々な用途で、快適でオリジナル性を持った、帽子に、なりうる物に、なります。
【図面の簡単な説明】
【０００７】
【図１】本発明合体例の斜面図である。
【図２】本発明使用例の正面図である。
【図３】本発明分離例の斜面図である。
【符号の説明】
【０００８】  １      面ファスナーのループ側（裏側含）
２      面ファスナーのフック側
３      格子状バンド通し
４      はとめボタンオス
５      サイズ調整用被せ部
６      通気、吸水性の良い生地
７      ゴムバンド長さ調節器
８      はとめボタンメス
９      不伸縮性の生地
１０      伸縮性ゴムバンド
１１      面ファスナーのループ又はカラー透明アクリル面など
１２      ヘッドライト
１３      ツバ部を上げている状態
【図１】
2006257608.tif 000003
【図２】
2006257608.tif 000004
【図３】
2006257608.tif 000005